(57)【要約】【課題】この発明は、撮影対象領域が変化した場合に、より適正な撮影条件で撮影することができるビデオカメラ装置を提供することを目的とする。【解決手段】第２入力手段によって入力された移動方向に向かって、入力された移動速度で撮影対象領域を移動させる手段、第２入力手段によって入力された移動速度が所定値より大きいか否かを判別する手段、第２入力手段によって入力された移動速度が所定値より大きいと判別した場合には、撮影条件を基本撮影条件に切り替える手段、および第２入力手段によって入力された移動速度が所定値以下であると判別した場合には、現状の撮影条件を維持させる手段を備えている。【選択図】図６
2008211413.tif 000002
【特許請求の範囲】
【請求項１】
撮影対象領域が変更可能なビデオカメラ装置において、
１または複数の撮影対象領域をプリセット位置として設定登録するためのプリセット位置設定手段、
各プリセット位置毎にプリセット撮影条件を設定登録するためのプリセット撮影条件設定手段、
プリセット位置の指定を伴うプリセット移動命令を入力するための第１入力手段、
第１入力手段によってプリセット移動命令が入力されたときに、撮影対象領域をプリセット移動命令によって指定されたプリセット位置に移動させるとともに、撮影条件を当該プリセット位置に対して登録されているプリセット撮影条件に設定する第１制御手段、
任意の撮影対象領域へ移動させるために、移動方向および移動速度を入力させるための第２入力手段、
第２入力手段によって移動される撮影対象領域に適用される基本撮影条件を任意に設定するための基本撮影条件設定手段、ならびに
第１制御手段による指定されたプリセット位置に対して登録されているプリセット撮影条件で撮影が行なわれている状態において、第２入力手段によって移動方向および移動速度が入力されたときには、第２入力手段によって入力された移動方向および移動速度に基づいて、撮影対象領域の移動制御および撮影条件の切替制御を行なう第２制御手段を備えており、
第２制御手段は、
第２入力手段によって入力された移動方向に向かって、入力された移動速度で撮影対象領域を移動させる手段、
第２入力手段によって入力された移動速度が所定値より大きいか否かを判別する手段、  第２入力手段によって入力された移動速度が所定値より大きいと判別した場合には、  撮影条件を基本撮影条件に切り替える手段、および
第２入力手段によって入力された移動速度が所定値以下であると判別した場合には、  現状の撮影条件を維持させる手段、
を備えていることを特徴とするビデオカメラ装置。
【請求項２】
任意の撮影対象領域において基本撮影条件で撮影が行なわれている状態において、第２入力手段によって移動方向および移動速度が入力されたときには、第２入力手段によって入力された移動方向に向かって、入力された移動速度で撮影対象領域を移動させるとともに、撮影条件を基本撮影条件に設定する第３制御手段を備えていることを特徴とする請求項１に記載のビデオカメラ装置。
【発明の詳細な説明】
【技術分野】
【０００１】
この発明は、監視カメラ等に用いられるビデオカメラ装置に関する。
【背景技術】
【０００２】
監視カメラでは、ホワイトバランス設定、逆光補正機能、アイリス設定等の画質・機能設定（以下、撮影条件設定という）が可能であり、撮影環境に応じて適正な撮影条件を設定できるようになっている。また、監視カメラとして、パン、チルト、ズーム動作が可能な旋回型のカメラ（ＰＴＺカメラ）を用いた場合、監視位置（撮影対象領域）を自由に変えることが可能となる。ただし、監視位置毎に撮影環境は変化する。
【０００３】
そこで、この種の監視用カメラとして、監視を行ないたい１または複数の撮影対象領域それぞれをプリセット位置として設定登録しておくとともに、登録した各プリセット位置毎にそのプリセット位置の撮影環境に適した撮影条件を設定登録しておけるものが、既に開発されている。例えば、自然光の環境下にあるプリセット位置では、撮影条件の１つであるホワイトバランスモードとして自動モードを設定し、ハロゲン灯で照明されている環境下にあるプリセット位置ではホワイトバランスモードとして室内モードを設定する。
【０００４】
このように、プリセット位置毎に撮影条件を設定登録しておける監視カメラにおいても、プリセット位置に関係なく自由にカメラを旋回させて撮影させる場合や、手動操作によってパン・チルト動作を行なっている場合には、撮影環境を特定できない。そこで、平均的に適正となる撮影条件を基本撮影条件として設定登録しておき、撮影環境が特定できない場合には、撮影条件として基本撮影条件を使用するようにしている。
【０００５】
この種の監視カメラにおいて、既に登録されている複数のプリセット位置のうちの１つのプリセット位置に監視位置を移動させる命令（プリセット移動命令）を入力すると、監視位置が指定されたプリセット位置に移動せしめられるとともに、撮影条件が当該プリセット位置に対して登録されている撮影条件に切り替えられる。
【０００６】
このようにプリセット移動命令によって監視位置が所定のプリセット位置に移動せしめられた後に、コントローラ上のジョイステック操作等によって、手動操作によってパン、チルト動作が行なわれた場合には、従来においては、撮影条件が基本撮影条件に切り替えられる。
【特許文献１】特開２００２−２５２８７９号公報
【特許文献２】特開２００６−２１１３７１号公報
【発明の開示】
【発明が解決しようとする課題】
【０００７】
ところで、撮影対象領域を手動操作によってプリセット位置からわずかに移動させた場合には、移動後の撮影対象領域の撮影環境は移動前の撮影環境とほとんど変化しないので、撮影条件としては、基本撮影条件を用いるよりも、移動前のプリセット位置に対して登録されている撮影条件を用いる方が適正である場合が多い。しかしながら、従来の技術においては、撮影対象領域を手動操作によってプリセット位置からわずかに移動させた場合にも、撮影条件が基本条件に切り替わってしまう。
【０００８】
この発明は、撮影対象領域が変化した場合に、より適正な撮影条件で撮影することができるビデオカメラ装置を提供することを目的とする。
【課題を解決するための手段】
【０００９】
請求項１に記載の発明は、撮影対象領域が変更可能なビデオカメラ装置において、１または複数の撮影対象領域をプリセット位置として設定登録するためのプリセット位置設定手段、各プリセット位置毎にプリセット撮影条件を設定登録するためのプリセット撮影条件設定手段、プリセット位置の指定を伴うプリセット移動命令を入力するための第１入力手段、第１入力手段によってプリセット移動命令が入力されたときに、撮影対象領域をプリセット移動命令によって指定されたプリセット位置に移動させるとともに、撮影条件を当該プリセット位置に対して登録されているプリセット撮影条件に設定する第１制御手段、任意の撮影対象領域へ移動させるために、移動方向および移動速度を入力させるための第２入力手段、第２入力手段によって移動される撮影対象領域に適用される基本撮影条件を任意に設定するための基本撮影条件設定手段、ならびに第１制御手段による指定されたプリセット位置に対して登録されているプリセット撮影条件で撮影が行なわれている状態において、第２入力手段によって移動方向および移動速度が入力されたときには、第２入力手段によって入力された移動方向および移動速度に基づいて、撮影対象領域の移動制御および撮影条件の切替制御を行なう第２制御手段を備えており、第２制御手段は、第２入力手段によって入力された移動方向に向かって、入力された移動速度で撮影対象領域を移動させる手段、第２入力手段によって入力された移動速度が所定値より大きいか否かを判別する手段、第２入力手段によって入力された移動速度が所定値より大きいと判別した場合には、撮影条件を基本撮影条件に切り替える手段、および第２入力手段によって入力された移動速度が所定値以下であると判別した場合には、現状の撮影条件を維持させる手段を備えていることを特徴とする。
【００１０】
請求項２に記載の発明は、請求項１に記載のビデオカメラ装置において、任意の撮影対象領域において基本撮影条件で撮影が行なわれている状態において、第２入力手段によって移動方向および移動速度が入力されたときには、第２入力手段によって入力された移動方向に向かって、入力された移動速度で撮影対象領域を移動させるとともに、撮影条件を基本撮影条件に設定する第３制御手段を備えていることを特徴とする。
【発明の効果】
【００１１】
この発明によれば、プリセット移動命令によって撮影対象領域が所定のプリセット位置に移動せしめられた後に、手動操作によって撮影対象領域の移動が行なわれた場合には、移動速度に基づいて撮影対象領域が大きく変化したか否かを判別し、撮影対象領域が大きく変化したと判別したときには、撮影条件を基本撮影条件に切り替え、撮影対象領域が大きく変化していないと判別したときには、現状の撮影条件を維持させる。したがって、撮影対象領域が変化した場合に、より適正な撮影条件で撮影することができる。
【発明を実施するための最良の形態】
【００１２】
以下、この発明を監視カメラシステムに適用した場合の実施例について説明する。
【実施例１】
【００１３】
図１は、監視カメラシステムの構成を示している。
監視カメラシステムは、天井に取り付けられるドーム型の監視カメラ１と、監視カメラ１を遠隔操作するためのコントローラ２と、監視カメラ１によって撮影された映像を表示するビデオモニタ３を備えている。この監視カメラ１では、パン動作（矢印Ａで示す方向への移動）、チルト動作（矢印Ｂで示す方向への移動）およびズーム動作が可能である。監視カメラ１とコントローラ２とは通信線によって接続されているとともに、監視カメラ１とビデオモニタ３とは通信線によって接続されている。
【００１４】
パン、チルト、ズーム等の操作、各種設定は、コントローラ２によって行なわれる。なお、各種設定を行なう際には、設定画面がビデオモニタ３にオンスクリーン表示される。コントローラ２には、各種の操作ボタンの他、ジョイステックが設けられている。
【００１５】
この監視カメラシステムでは、監視を行ないたい１または複数の撮影対象領域それぞれをプリセット位置として設定登録しておくとともに、登録した各プリセット位置毎にそのプリセット位置の撮影環境に適した撮影条件を設定登録しておくことができる。また、平均的な撮影条件を基本撮影条件として設定登録しておくことができる。
【００１６】
図２〜図４は、設定画面例を示している。
【００１７】
図２は、基本撮影条件を設定するための設定画面を示している。
基本撮影条件の設定項目には次のような項目がある。
【００１８】
・フリッカーの軽減機能のＯＮ／ＯＦＦ                                            ・アイリスの設定
・ホワイトバランスの設定
・逆光補正機能のＯＮ／ＯＦＦ
・電子シャッター機能のＯＮ／ＯＦＦ
・アパーチャー補正の設定
・ＡＧＣの設定
・ガンマ特性の設定
・デイナイトの設定
【００１９】
図３は、プリセット位置に関する設定を行なうための設定画面を示している。
【００２０】
”プリセット番号”は、プリセット位置を識別するための番号を表している。”ポジション”は、プリセット位置を設定するための項目であり、パン位置、チルト位置およびズーム位置が設定される。”タイトル”には、タイトルが入力できる。
【００２１】
”設定パターン”は、当該プリセット位置に対応する撮影条件のパターン番号を登録する。”設定パターン”の項目から、図４に示すような設定画面を表示させて、当該プリセット位置に適した撮影条件を設定することができる。なお、”設定パターン”をＯＦＦ（切）にすると、当該プリセット位置に対応する撮影条件は基本撮影条件（図２参照）となる。この例では、”設定パターン”としては、”１”が選択されており、当該プリセット位置に対応する撮影条件として、図４の設定画面で設定された撮影条件が登録されている。
【００２２】
”ホールド”は、プリセット位置から手動操作したときに、撮影条件を基本撮影条件に切り替えるか当該プリセット位置に対して登録されている撮影条件を維持させるかを、パン・チルトの移動速度に基づいて決定する機能（本実施例の特徴的な機能）を有効（ＯＮ）とするか無効（ＯＦＦ）とするかを設定するための項目である。この実施例では、ＯＮにされている。なお、”ホールド”をＯＦＦに設定した場合には、プリセット位置から手動操作したときには、撮影条件は従来と同様に必ず基本撮影条件に切り替えられる。
【００２３】
”シーケンスグループ”とは、後述するシーケンスモードで動作させる場合に選択されるグループをいう。”シーケンスグループ”には、当該プリセット位置がどのシーケンスグループに属しているかが設定される。”静止時間”には、シーケンスモードで動作させる場合に、当該プリセット位置でのカメラ静止時間が設定される。
【００２４】
なお、図４において、”モーションセンサーの設定”は、撮影画像に基づいて侵入者等の動きのある被写体が存在するか否かを判別し、動きのある被写体が存在すると判別した場合にはアラームを発生させる機能をＯＮまたはＯＦＦさせるための項目である。
【００２５】
この監視システムでは、監視位置を自動的に移動せしめられるオートモードが用意されている。この例では、オートモードには、シーケンスモードとオートパンモードとがある。シーケンスモードとは、予め指定した複数のプリセット位置を順次移動するように、監視位置を切り替えていくモードである。オートパンモードとは、予め指定した２つの位置の間をパン移動させるモードである。シーケンスモードでは、撮影条件を基本撮影条件に固定しておくように設定することも可能であるし、撮影条件をプリセット位置毎に自動的に切り替えるように設定することも可能である。オートパンモードでは、撮影条件は基本撮影条件に固定される。
【００２６】
以下の説明においては、説明の便宜上、シーケンスモードおよびオートパンモードを総称して、オートモードと呼ぶことにする。オートモードのオン操作により、オートモードをオンさせることができる。オートモードがオンである状態をオートモード状態ということにする。オートモード状態では、監視位置（撮影対象領域）が自動的に移動せしめられる。
【００２７】
オートモード状態において、オートモードオフ命令の入力操作を行なったり、ジョイステックを操作させたり、プリセット移動命令の入力操作を行なったりすると、オートモード状態が解除される。オートモード状態において、オートモードオフ命令の入力操作を行なうことにより、オートモード状態を解除させた場合、およびオートモード状態において、ジョイステックを操作させることにより、オートモード状態を解除させた場合には、動作状態は手動モード状態となる。オートモード状態において、プリセット移動命令の入力操作を行なうことにより、オートモード状態を解除させた場合には、動作状態はプリセット固定モード状態となる。
【００２８】
プリセット固定状態において、ジョイステックを操作させると、プリセット固定状態が解除され、手動モード状態となる。手動モード状態において、プリセット移動命令の入力操作を行なうと、手動モード状態が解除され、プリセット固定モード状態となる。手動モード状態またはプリセット固定モード状態において、オートモードのオン操作が行なわれると、手動モード状態またはプリセット固定モード状態が解除され、オートモード状態となる。
【００２９】
手動モード状態においては、ジョイステックの操作に応じたパン・チルト動作（手動操作に基づく移動動作）が行なわれる。これにより、監視位置（撮影対象領域）が移動せしめられる。なお、ジョイステックの傾倒方向がパン・チルトの移動方向を表し、ジョイステックの傾き角の大きさが移動速度を表している。
【００３０】
プリセット移動命令の入力操作が行なわれた場合には、プリセット移動命令によって指定されたプリセット位置へのパン・チルト動作（プリセット移動動作）が行なわれる。これにより、監視位置（撮影対象領域）がプリセット移動命令によって指定されたプリセット位置に移動せしめられる。また、撮影条件が当該プリセット位置に対して登録されている撮影条件に切り替えられる。
【００３１】
図５を参照して、本実施例の考え方について説明する。
【００３２】
図５の領域１００は、監視カメラ１で撮影可能な全空間範囲を、便宜的に二次元平面で表している。図５において領域Ａ、Ｂはそれぞれプリセット位置を示している。各プリセット位置Ａ、Ｂ毎に、撮影条件が個別に設定登録されているものとする。
【００３３】
従来は、プリセット位置Ａ（またはＢ）を撮影対象領域として当該プリセット位置に対応して登録されている撮影条件によって撮影が行なわれている状態から、手動操作によってパン・チルト移動を行なった場合には、手動操作を行なった時点で、撮影条件が基本撮影条件に切り替えられていた。
【００３４】
本実施例では、このような場合には、単位時間当たりのパン・チルトの移動量の大きさにより、撮影条件をそのまま維持させるか基本撮影条件に切り替えるかを判別するようにしている。
【００３５】
例えば、図５において、手動操作によって監視位置（撮影対象位置）をプリセット位置Ａから位置Ａ’に移動させた場合と、手動操作によって監視位置をプリセット位置Ｂから位置Ｂ’に移動させた場合とを示している。ＡからＡ’への移動量と、ＢからＢ’への移動量は、それぞれ単位時間当たりの移動量を示している。
【００３６】
ＡからＡ’への移動は、単位時間当たりの移動量が小さい移動であり、現在監視している被写体を引続き監視したいが、撮影範囲外なので、当該被写体が捉えられるように、監視位置を少し移動させるための動作であると想定できる。このような場合には、撮影環境はほぼ同じであると考えられるので、現状の撮影条件（プリセット位置Ａに対応して登録されている撮影条件）を維持させる。
【００３７】
一方、ＢからＢ’への移動は、単位時間当たりの移動量が大きい場合であり、プリセット位置Ｂとは全く異なる別の位置を監視させるための動作であると想定できる。このような場合には、撮影環境が大きく変化すると考えられるので、撮影条件を基本撮影条件に切り替える。
【００３８】
図６は、プリセット移動命令によって監視位置が移動せしめられた状態から、各種操作が行なわれたときの撮影条件の切替制御処理の手順を示している。
【００３９】
任意の動作モード状態（オートモード状態、手動モード状態またはプリセット固定モード状態）である場合において、プリセット移動命令の入力操作が行なわれると（ステップＳ１）、監視位置をプリセット移動命令によって指定されたプリセット位置に移動させるとともに、撮影条件を当該プリセット位置に対して登録されている撮影条件に切り替える（ステップＳ２）。動作モード状態はプリセット固定モード状態となる。
【００４０】
この後、手動による移動操作が行なわれたか否かを判別する（ステップＳ３）。つまり、ジョイステックが操作されたか否かを判別する。手動による移動操作が行なわれていないと判別した場合には、オートモードのオン操作が行なわれたか否かを判別する（ステップＳ４）、オートモードのオン操作が行なわれていない場合には、プリセット移動命令の入力操作が行なわれた否かを判別する（ステップＳ５）。プリセット移動命令の入力操作が行なわていない場合には、ステップＳ３に戻る。
【００４１】
上記ステップＳ３において、手動による移動操作が行なわれたと判別した場合には、移動速度（ＰＴ速度）が所定の閾値Ｔｈより大きいか否かを判別する（ステップＳ６）。移動速度（ＰＴ速度）がＴｈ以下である場合には、現状の撮影条件を維持したまま、手動操作に基づく移動動作を行う（ステップＳ７）。動作モード状態は手動モード状態となる。そして、ステップＳ３に戻る。
【００４２】
上記ステップＳ６において、移動速度（ＰＴ速度）がＴｈより大きいと判別した場合には、撮影条件を基本撮影条件に切り替えるとともに、手動操作に基づく移動動作を行う（ステップＳ８）。動作モード状態は手動モード状態となる。
【００４３】
上記ステップＳ４において、オートモードのオン操作が行なわれたと判別した場合には、オートモード状態となり、オートモードによる移動動作（自動動作）を行う（ステップＳ９）。この際には、オートモードの種類およびその設定内容に応じて、撮影条件が決定される。動作モード状態はオートモード状態となる。
【００４４】
上記ステップＳ５において、プリセット移動命令の入力操作が行なわれたと判別した場合には、監視位置をプリセット移動命令によって指定されたプリセット位置に移動させるとともに、撮影条件を当該プリセット位置に対して登録されている撮影条件に切り替える（ステップＳ１０）。動作モード状態はプリセット固定モード状態となる。そして、ステツプＳ３に戻る。
【００４５】
なお、オートモード状態である場合において、手動による移動操作が行なわれたときには、移動速度が閾値Ｔｈより大きいか否かが判別されることなく、撮影条件が基本撮影条件に設定される。
【００４６】
上記ステップＳ６からＳ７に移行した場合のように、手動モード状態になっても、いずれかのプリセット位置に対応して登録されている撮影条件を維持する場合には、その手動モード状態において手動による移動操作があったときには、ステップＳ６に移行し、移動速度に応じて撮影条件が制御される。
【００４７】
しかしながら、オートモード状態から手動モード状態に移行した場合や上記ステップＳ６からステップＳ８に移行した場合のように、上記ステップＳ６からＳ７に移行した場合以外の処理手順によって手動モード状態になった場合には、その手動モード状態において手動による移動操作があったときには、移動速度が閾値Ｔｈより大きいか否かが判別されることなく、撮影条件が基本撮影条件に設定される。
【００４８】
なお、上述した実施例では、監視カメラシステムを用いて説明しが、同様の動作をする装置であれば、これに限定されるものではない。
【図面の簡単な説明】
【００４９】
【図１】監視カメラシステムの構成を示すブロック図である。
【図２】基本撮影条件を設定するための設定画面の一例を示す模式図である。
【図３】プリセット位置に関する設定を行なうための設定画面の一例を示す模式図である。
【図４】プリセット位置に適した撮影条件を設定するための設定画面の一例を示す模式図である。
【図５】本願発明の基本的な考え方について説明するための模式図である。
【図６】プリセット移動命令によって監視位置が移動せしめられた状態から、各種操作が行なわれたときの撮影条件の切替制御処理の手順を示すフローチャートである。
【符号の説明】
【００５０】
１  監視カメラ
２  コントローラ
３  ビデオモニタ
【図１】
2008211413.tif 000003
【図２】
2008211413.tif 000004
【図３】
2008211413.tif 000005
【図４】
2008211413.tif 000006
【図５】
2008211413.tif 000007
【図６】
2008211413.tif 000008